(57)【要約】【課題】オンライン取引システムにおいて、高度な専門知識がなくとも取引実施の是非を判断可能な情報を提供し、一般顧客が取引の流れを容易に認識でき、意図しない取引の実行の可能性を減少させるための技術を提供する。【解決手段】チャート画像描画プログラムにより外貨普通預金元帳ＤＢに予め格納された平均購入レートを検索し、平均購入レートをチャート画像上に描画し、顧客端末の画面上にはチャート画像描画プログラムが作成したチャート画像や、確認画面が表示されないことに顧客が同意を示す同意・確認チェックボックスや、取引実行ボタンを選択すると直ちに取引が実行されることを示す注意文言を表示する。【選択図】図７
2016151927.tif 000002
【特許請求の範囲】
【請求項１】
金融商品の取引画面を作成し、顧客端末に前記取引画面を送信して表示させる取引サーバであって、
各種プログラムを格納するメモリと、
前記各種プログラムを読み込んで実行し、前記取引画面を作成するプロセッサと、を有し、
前記プロセッサは、
対象顧客が現在保持する対象金融商品の平均購入額を算出する処理と、
取引同意及び確認に関する第１の注意喚起メッセージと、取引完了についての第２の注意喚起メッセージと、前記平均購入額と、を含めて前記取引画面を描画する処理と、
前記描画した取引画面を前記顧客端末に送信する処理と、
を実行する、取引サーバ。
【請求項２】
請求項１において、
前記プロセッサは、前記描画する処理において、前記平均購入額が前記金融商品の価格変動チャート上に表示されるように前記取引画面を作成する、取引サーバ。
【請求項３】
請求項１において、
前記プロセッサは、前記第１の注意喚起メッセージを確認・同意チェックボックスと共に描画し、当該確認・同意チェックボックスにチェックが入力されない限り取引を実行できないようにする、取引サーバ。
【請求項４】
請求項１において、
前記第１の注意喚起メッセージは、表示レートと実際の約定レートが異なる場合があることと、取引確認画面が表示されないことに同意することを求めるメッセージであり、
前記第２の注意喚起メッセージは、実行ボタンを押下すると即時に取引が完了することの注意を喚起するメッセージである、取引サーバ。
【請求項５】
取引サーバにおいて、金融商品の取引画面を作成し、顧客端末に前記取引画面を送信して表示させる方法であって、
前記取引サーバは、各種プログラムを格納するメモリと、前記各種プログラムを読み込んで実行し、前記取引画面を作成するプロセッサと、を有し、
前記プロセッサが、対象顧客が現在保持する対象金融商品の平均購入額を算出するステップと、
前記プロセッサが、取引同意及び確認に関する第１の注意喚起メッセージと、取引完了についての第２の注意喚起メッセージと、前記平均購入額と、を含めて前記取引画面を描画するステップと、
前記プロセッサが、前記描画した取引画面を前記顧客端末に送信するステップと、
を含む、方法。
【請求項６】
取引サーバにおいて、金融商品の取引画面を作成し、顧客端末に前記取引画面を送信して表示させるためのプログラムであって、
前記取引サーバのプロセッサに、
対象顧客が現在保持する対象金融商品の平均購入額を算出する処理と、
取引同意及び確認に関する第１の注意喚起メッセージと、取引完了についての第２の注意喚起メッセージと、前記平均購入額と、を含めて前記取引画面を描画する処理と、
前記描画した取引画面を前記顧客端末に送信する処理と、
を実行させるための、プログラム。
【発明の詳細な説明】
【技術分野】
【０００１】
本発明は、取引サーバ、顧客端末に取引画面を送信して表示させる方法、及びプログラムに関し、例えば、外貨預金等の金融商品のオンライン取引に好適な技術に関するものである。
【背景技術】
【０００２】
従来から、例えば特許文献１に開示されているように、一般顧客と取引業者、取引市場の三者間で外国為替取引を行うオンライン取引システムが存在する。このうち、取引業者のコンピュータは、電気通信回線で接続された顧客端末の画面上に外国為替の銘柄、売値、買値等の価格情報やチャート、売買伝票を表示し、売買伝票への顧客入力に基づいて注文成立の場合に注文成立関連情報を顧客端末の画面上に表示する。このようなオンライン取引システムにより、一般顧客は過去の取引推移や現在の価格情報の確認、注文等の操作、さらに注文結果の認識を容易に行うことができる。
【先行技術文献】
【特許文献】
【０００３】
【特許文献１】特開２００６−２６０４４１号公報
【発明の概要】
【発明が解決しようとする課題】
【０００４】
しかしながら、従来のオンライン取引システムは、チャートにより過去の為替レートの推移を示し、一般顧客が取引実施の是非を判断する情報を提供するものの、チャートの表示内容から今後の為替レートの変動予測を立て現時点の取引実施の是非を判断するには高度な専門知識を必要とする。つまり、顧客としては、どのくらいの為替レートで取引を行えば利益が出るのか等の判断が困難となっている。
【０００５】
また、従来のオンライン取引システムは、一般顧客からの注文を受けた後には、注文内容の確認画面を表示することなく注文成立関連情報を表示する。しかし、取引経験の浅い一般顧客にとっては注文操作実施後直ちに取引が実行されるのか、あるいは確認画面等の別画面が表示された後に改めて注文操作を行うのかが予測がつかないため、取引の流れを誤認して注文操作を行ってしまう危険性がある。
【０００６】
一方、確認画面を改めて表示するようにすると、取引完了までに一定の時間を要し、その処理の間に為替レートが変動してしまうことがあるため、顧客は自身が望む為替レートで取引できないという可能性がある。
【０００７】
本発明はこのような状況に鑑みてなされたものであり、高度な専門知識がなくとも取引実施の是非を判断可能な情報を提供することができ、一般顧客が取引の流れを容易に認識でき、かつ、意図しない取引の実行の可能性を減少させることができるオンライン取引のための技術を提供するものである。
【課題を解決するための手段】
【０００８】
上記課題を解決するために、本発明では、取引サーバにおいて、対象顧客が現在保持する対象金融商品の平均購入額を算出する処理と、取引同意及び確認に関する第１の注意喚起メッセージと、取引完了についての第２の注意喚起メッセージと、平均購入額と、を含めて取引画面を描画する処理と、描画した取引画面を顧客端末に送信する処理と、を実行する。
【０００９】
本発明に関連する更なる特徴は、本明細書の記述、添付図面から明らかになるものである。また、本発明の態様は、要素及び多様な要素の組み合わせ及び以降の詳細な記述と添付される特許請求の範囲の様態により達成され実現される。
【００１０】
本明細書の記述は典型的な例示に過ぎず、本発明の特許請求の範囲又は適用例を如何なる意味に於いても限定するものではないことを理解する必要がある。
【発明の効果】
【００１１】
本発明によれば、高度な専門知識がなくとも取引実施の是非を判断可能な情報を顧客に対して提供することができる。また、顧客は、一般顧客が取引の流れを容易に認識できるようになる。さらに、顧客の意図しない取引の実行の可能性を減少させることができる。
【図面の簡単な説明】
【００１２】
【図１】本発明の実施形態に係る外貨預金オンライン取引システムの構成例を示す図である。
【図２】外貨普通預金元帳ＤＢに格納される外貨普通預金元帳データの構成例を示す図である。
【図３】外貨預金オンライン取引システムによる外貨預金取引の処理内容を説明するためのフローチャートである。
【図４】チャート画像描画プログラムの処理内容を説明するためのフローチャートである。
【図５】本発明の実施形態において顧客端末の画面上に表示される取引選択画面の表示例を示す図である。
【図６】図５の表示例において米ドルの表示部の拡大表示を示す図である。
【図７】本発明の実施形態において顧客端末の画面上に表示される米ドルの外貨普通預金払戻画面の表示例を示す図である。
【図８】図７の表示例においてチャート画像の表示例である。
【図９】本発明の実施形態において顧客端末の画面上に表示される米ドルの外貨普通預金預入画面の表示例を示す図である。
【発明を実施するための形態】
【００１３】
本発明は、外貨預金等の金融商品の取引において、一般顧客の取引実施の是非の判断、及び注文の実施から成立までの流れの認識を容易にするための技術に関する。より具体的には、本発明は、取引の同意・確認に関する注意喚起メッセージと、取引完了についての注意喚起メッセージと、該当する顧客が現時点で保持する外貨預金の取得平均レートと、を表示する取引画面をオンライン取引サーバにおいて作成し、該当する顧客の端末に送信して表示されるものである。
【００１４】
以下、添付図面を参照して本発明の実施形態について説明する。添付図面では、機能的に同じ要素は同じ番号で表示される場合もある。なお、添付図面は本発明の原理に則った具体的な実施形態と実装例を示しているが、これらは本発明の理解のためのものであり、決して本発明を限定的に解釈するために用いられるものではない。
【００１５】
本実施形態では、当業者が本発明を実施するのに十分詳細にその説明がなされているが、他の実装・形態も可能で、本発明の技術的思想の範囲と精神を逸脱することなく構成・構造の変更や多様な要素の置き換えが可能であることを理解する必要がある。従って、以降の記述をこれに限定して解釈してはならない。
【００１６】
更に、本発明の実施形態は、汎用コンピュータ上で稼動するソフトウェアで実装しても良いし専用ハードウェア又はソフトウェアとハードウェアの組み合わせで実装しても良い。
【００１７】
なお、以後の説明では「テーブル」形式によって本発明の各情報について説明するが、これら情報は必ずしもテーブルによるデータ構造で表現されていなくても良く、リスト、ＤＢ、キュー等のデータ構造やそれ以外で表現されていても良い。そのため、データ構造に依存しないことを示すために「テーブル」、「リスト」、「ＤＢ」、「キュー」等について単に「情報」と呼ぶことがある。
【００１８】
以下では「プログラム」を主語（動作主体）として本発明の実施形態における各処理について説明を行うが、プログラムはプロセッサによって実行されることで定められた処理をメモリ及び通信ポート（通信制御装置）を用いながら行うため、プロセッサを主語とした説明としてもよい。また、プログラムを主語として開示された処理は管理サーバ等の計算機、情報処理装置が行う処理としてもよい。プログラムの一部または全ては専用ハードウェアで実現してもよく、また、モジュール化されていても良い。各種プログラムはプログラム配布サーバや記憶メディアによって各計算機にインストールされてもよい。
【００１９】
＜システム構成＞
図１は、本発明の実施形態によるオンライン取引システムの概略構成を示す図である。オンライン取引システムは、少なくとも１つの顧客端末１と、取引業者のオンライン取引サーバ３と、を有し、顧客端末１とオンライン取引サーバ３とはインターネット２を介して接続されている。また、オンライン取引サーバ３は、アプリケーションサーバ３１と、データベースサーバ３２とによって構成される。図１では、各サーバについてソフトウェア構成しか示されていないが、それぞれ通常のコンピュータのハードウェア構成を有している。つまり、図示しないＣＰＵ（プロセッサ）によって各種プログラムを実行したり、各種データをデータベースに格納したり読み出したりする。また、各サーバは、各種プログラムを格納するメモリ、各種データを格納する記憶装置、データを入力するための入力デバイス（マウス、キーボード等）、データを出力するための出力デバイス（ディスプレイ、プリンタ等）、各端末と通信するための通信デバイス等を有している。なお、図１では、オンライン取引サーバ３をアプリケーションサーバ３１とデータベースサーバ３２に分離して図示しているが、１つのサーバ構成としても良い。
【００２０】
オンライン取引サーバ３の各サーバのうち、アプリケーションサーバ３１のメモリ上には取引画面表示プログラム３１１や取引完了画面表示プログラム３１２、チャート画像描画プログラム３１３などが存在し、後述するフローチャートに従って顧客端末１への画面表示や取引処理を行う。また、データベースサーバ３２のハードディスク上にはチャート画像描画プログラム３１３が使用する為替レートの４本値（高値、安値、始値、終値）や移動平均値を格納するチャートＤＢ３２１や、後述する外貨普通預金元帳ＤＢ３２２などのデータベースが存在する。
【００２１】
チャートＤＢ３２１は、リアルタイムの為替チャートを描画するためのデータを格納している。リアルタイムの為替レート情報は、実際には別のサーバに格納されている。データベースサーバ３２がリアルタイム為替レート情報を当該別のサーバから逐次取得し、使用可能なレートであるか判断してからチャートＤＢ３２１に格納することになる。
【００２２】
＜外貨普通預金元帳のデータ構成＞
図２は、本発明の実施形態による外貨普通預金元帳ＤＢ３２２に格納される顧客が保有する外貨普通預金元帳データの構成例を示す図である。図２に示すように、外貨普通預金元帳は、情報として、店番２０１と、口座番号２０２と、通貨コード２０３と、外貨残高２０４と、対顧持値邦貨残高２０５と、平均購入レート２０６と、を有している。当該外貨普通預金元帳のデータは、店番２０１、口座番号２０２、及び通貨コード２０３別に登録される。このうち外貨残高２０４には通貨コード２０３の外貨の現在の残高額が登録されており、顧客が外貨預金取引を実施するたびに外貨預金取引金額分増減する。
【００２３】
一方、対顧持値邦貨残高２０５は、外貨残高の円貨での投資額が登録されており、顧客が外貨預金取引を実施するたびに、以下の計算式より求められる値で更新される。
【００２４】
ａ：外貨普通預金預入取引の場合
対顧持値邦貨残高（取引後）＝対顧持値邦貨残高（現在（取引前））＋（外貨取引金額×取引時点の為替レート）
ｂ：外貨普通預金払戻取引の場合
対顧持値邦貨残高（取引後）＝対顧持値邦貨残高（現在（取引前））−（外貨取引金額×取引時点の平均購入レート）
【００２５】
平均購入レート２０６は、顧客が現在保有する外貨預金の取得に要した円価の平均値が登録されており、顧客が外貨普通預金預入取引を実施するたびに、以下の計算式より求められる値で更新される。
【００２６】
平均購入レート＝対顧持値邦貨残高（取引後）÷外貨残高
【００２７】
＜外貨預金取引の処理内容＞
図３は、本発明の実施形態のオンライン取引システムが実行する外貨預金取引処理の内容を説明するためのフローチャートである。
【００２８】
（i）ステップＡ１
オンライン取引サーバ３は、顧客端末１に対して取引選択画面（図５参照）を送信し、顧客端末１は受信した取引選択画面を画面１１に表示する。そして、顧客は、顧客端末１の画面１１に表示された取引選択画面においてマウス１３により任意の通貨（例えば、円／米ドル）の取引種別（例えば、外貨普通預金預入や外貨普通預金払戻）のボタンを選択する。すると、選択内容がオンライン取引サーバ３に送信される。
【００２９】
（ii）ステップ３０１
オンライン取引サーバ３のアプリケーションサーバ３１における取引画面表示プログラム３１１は、インターネット２を介して通貨や取引種別といった情報を受け取り、該当する通貨、取引種別の取引画面（取引種別によって図７又は図９の画面）を作成し、顧客端末１に送信する。そして、当該取引画面が顧客端末１の画面１１に表示される（ステップ３０１）。
【００３０】
（iii）ステップ３０２
チャート画像描画プログラム３１３は、後述するフローチャート（図４参照）に従って、上記通貨のチャート画像を描画し、チャート画像を顧客端末１に送信する。
【００３１】
（iv）ステップ３０３
顧客端末１は、仰臥されたチャート画像を受信し、これを顧客端末１の画面１１（取引画面の領域７８）に表示する。
【００３２】
（v）ステップＡ２、Ａ３、及びＡ４
顧客は顧客端末１の画面１１に表示された取引画面において、キーボード１２により取引金額等の取引条件を入力し（Ａ２）、マウス１３により同意・確認チェックボックスを選択した後（Ａ３）に取引実行ボタン（現為替レート表示ボタン）７６を選択（クリック）する（Ａ４）。ステップＡ２乃至Ａ４で入力された情報は、オンライン取引サーバ３に送信される。
【００３３】
（vi）ステップ３０４
取引完了画面表示プログラム３１２は、上記取引条件を受信し、当該取引条件にて取引処理を実行する。
【００３４】
（vii）ステップ３０５
取引完了画面表示プログラム３１２は、受信した取引条件に不正がないか判定する。ここで、「不正」とは、例えば払戻や預入金額の入力がないこと、ストリーミング取引であるにも拘らずスリッページが空欄であること、等である。不正と判断された場合（ステップ３０５でＮＯの場合）、処理はステップ３０１に移行する。不正はないと判断された場合（ステップ３０５でＹＥＳの場合）、処理はステップ３０６に移行する。
【００３５】
（viii）ステップ３０６
取引完了画面表示プログラム３１２は、取引の実行結果を外貨普通預金元帳ＤＢ３２２に登録する。ここで、対顧持値邦貨残高２０５は以下の計算式より求められる値で更新される。
【００３６】
ａ：外貨普通預金預入取引の場合
対顧持値邦貨残高（取引後）＝対顧持値邦貨残高（現在（取引前））＋（外貨取引金額×取引時点の為替レート）
ｂ：外貨普通預金払戻取引の場合
対顧持値邦貨残高（取引後）＝対顧持値邦貨残高（現在（取引前））−（外貨取引金額×取引時点の平均購入レート）
【００３７】
また、平均購入レート２０６は以下の計算式より求められる値で更新される。
【００３８】
平均購入レート＝対顧持値邦貨残高（取引後）÷外貨残高
【００３９】
（ix）ステップ３０７
取引完了画面表示プログラム３１２は、外貨普通預金元帳ＤＢ３２２への登録処理が完了した後に、顧客端末１の画面１１に取引完了画面を表示する。
【００４０】
＜チャート描画処理＞
図４は、本発明の実施形態のチャート画像描画プログラム３１３が実行するチャート画像描画処理の内容を説明するためのフローチャートである。
【００４１】
（i）ステップ４０１
チャート画像描画プログラム３１３は、顧客端末１の画面１１で選択された通貨の４本値と移動平均値をチャートＤＢ３２１より取得する。
【００４２】
（ii）ステップ４０２
チャート画像描画プログラムは、上記通貨の通貨コード２０３と顧客毎に一意に決められた外貨預金口座の店番２０１と口座番号２０２をキーとして外貨普通預金元帳ＤＢ３２２より平均購入レート２０６の情報を取得する。
【００４３】
（iii）ステップ４０３
チャート画像描画プログラムは、上記４本値と移動平均値、平均購入レートより後述するチャート画像（図８参照）を描画する（ステップ４０３）。
【００４４】
＜顧客端末に表示される画面の例＞
図５乃至図９はそれぞれ、顧客端末１の画面１１に表示される画面の表示例を示す図である。
【００４５】
（i）取引選択画面
図５は、取引選択画面の構成例を示す図である。図６は図５で示した取引選択画面のうち米ドルの表示部分のみを拡大した図を示している。顧客は、図６に示した取引種別ボタン６１を選択することで米ドルの取引画面に画面遷移する。例えば、「払戻」と書かれた取引種別ボタン６１を選択すると外貨普通預金払戻画面に遷移する。
【００４６】
図５において、「お取引へ」のボタン５１をクリックすると、取引種別のボタン６１が表示されるようになっている。
【００４７】
（ii）外貨普通預金払戻画面
図７は、米ドルの外貨普通預金払戻画面の表示例を示す図である。顧客は、取引条件として通貨７１や払戻金額７２、注文方法７３、スリッページ金額７４を入力することができる。これらの取引条件を入力した後に同意・確認チェックボックス７５を選択すると、取引実行ボタン７６が選択可能となり、同意・確認チェックボックス７５を選択するまでは取引実行ボタン７６は選択が不可能な状態（非活性状態）が維持される。
【００４８】
また、同意・確認チェックボックス７５の横には、「確認画面が表示されないことに同意します。」という文言（同意・確認についての注意喚起メッセージ）が表示されている。また、取引実行ボタン７６の上部には「レートをクリックすると、即時に払い戻しが完了します。」という文言（取引完了についての注意喚起メッセージ）７７が表示されている。このため、顧客は取引実行ボタン７６を押下すると確認画面が表示されることなく直ちに取引が実行されることを容易に予測することができる。取引実行ボタン（現為替レート表示ボタン）７６には現在の為替レートが表示され、レートの変動に伴い時々刻々と表示内容が変化する。
【００４９】
（iii）チャート拡大図
図８は、図７に示したチャート７８を拡大して表示した図である。チャート上には図２の平均購入レート２０６を図８の平均購入レート８１のように点線で描画する。顧客は平均購入レート８１とチャートの右端に表示されている現在の取引レートとを比較することで現在の取引レートで取引を実行するべきか判断することできる。
【００５０】
（iv）外貨普通預金預入画面
図９は、米ドルの外貨普通預金預入画面の表示例を示す図である。外貨普通預金預入画面においても、図７で示した外貨普通預金払戻画面と同様、取引条件を入力した後に同意・確認チェックボックス９１を選択すると取引実行ボタン９２が選択可能となり、同意・確認チェックボックス９１を選択するまでは取引実行ボタン９２は選択が不可能な状態（非活性状態）が維持される。
【００５１】
また、同意・確認チェックボックス９１の横には、「確認画面が表示されないことに同意します。」という文言（同意・確認についての注意喚起メッセージ）が表示されており、さらに取引実行ボタン９２の上部には「レートをクリックすると、即時に預け入れが完了します。」という文言（取引完了についての注意喚起メッセージ）９３が表示されている為、顧客は取引実行ボタン９２を押下すると確認画面が表示されることなく直ちに取引が実行されることを容易に予測することができる。取引実行ボタン（現為替レート表示ボタン）９２には現在の為替レートが表示され、レートの変動に伴い時々刻々と表示内容が変化する。
【００５２】
なお、図７及び図９では、成行きの場合の外貨普通預金払戻／預入画面を示しているが、指値注文の場合も同様である。説明を単純化するため、本明細書では指値注文の場合の外貨普通預金払戻／預入画面の表示例については省略することとする。
【００５３】
＜まとめ＞
（i）本発明の実施形態では、外貨普通預金のオンライン取引を例として本発明を説明したが、本発明は外貨普通預金に限られるものではなく、その他株価のように購入価格が刻々と変化する金融商品の取引に適用できるものである。
【００５４】
（ii）本発明の実施形態によれば、顧客が現在保有する外貨預金の取得に要した円価の平均値（平均購入レート）をチャート上に表示する。このため、顧客は外貨預金取引実行前に現在の取引レートと平均購入レートとを比較することで現在の取引レートで取引を実行するべきか判断することができる。例えば、外貨普通預金払戻取引において、現在の取引レートが平均購入レートと比較して高い場合は、現在保有する外貨を購入したときよりも高いレートで売却できることを示しており、顧客は現在の取引レートでの払戻取引により利益が出ることを容易に判断できる。このように、チャート上に平均購入レートを表示することにより顧客は高度な専門知識がなくとも、取引によって利益が出るか損失が出るかを容易に判断できる。
【００５５】
また、本発明では、取引画面に確認画面が表示されないことへの同意を示す同意・確認チェックボックスを表示し、顧客がこのチェックボックスを選択するまでは取引実行ボタンを選択することができないように制御する。さらに、取引画面に「レートをクリックすると、即時に預け入れが完了します。」という注意文言を表示するため、顧客は取引実行ボタン選択後直ちに取引が実行されるという取引の流れを容易に予測することができ、この結果、取引経験の浅い顧客が意図しない取引を実行してしまう可能性を減少させることにも貢献することができる。
【００５６】
（iii）本発明は、実施形態の機能を実現するソフトウェアのプログラムコードによっても実現できる。この場合、プログラムコードを記録した記憶媒体をシステム或は装置に提供し、そのシステム或は装置のコンピュータ（又はＣＰＵやＭＰＵ）が記憶媒体に格納されたプログラムコードを読み出す。この場合、記憶媒体から読み出されたプログラムコード自体が前述した実施形態の機能を実現することになり、そのプログラムコード自体、及びそれを記憶した記憶媒体は本発明を構成することになる。このようなプログラムコードを供給するための記憶媒体としては、例えば、フレキシブルディスク、ＣＤ−ＲＯＭ、ＤＶＤ−ＲＯＭ、ハードディスク、光ディスク、光磁気ディスク、ＣＤ−Ｒ、磁気テープ、不揮発性のメモリカード、ＲＯＭなどが用いられる。
【００５７】
また、プログラムコードの指示に基づき、コンピュータ上で稼動しているＯＳ（オペレーティングシステム）などが実際の処理の一部又は全部を行い、その処理によって前述した実施の形態の機能が実現されるようにしてもよい。さらに、記憶媒体から読み出されたプログラムコードが、コンピュータ上のメモリに書きこまれた後、そのプログラムコードの指示に基づき、コンピュータのＣＰＵなどが実際の処理の一部又は全部を行い、その処理によって前述した実施の形態の機能が実現されるようにしてもよい。
【００５８】
さらに、実施の形態の機能を実現するソフトウェアのプログラムコードを、ネットワークを介して配信することにより、それをシステム又は装置のハードディスクやメモリ等の記憶手段又はＣＤ−ＲＷ、ＣＤ−Ｒ等の記憶媒体に格納し、使用時にそのシステム又は装置のコンピュータ（又はＣＰＵやＭＰＵ）が当該記憶手段や当該記憶媒体に格納されたプログラムコードを読み出して実行するようにしても良い。
【００５９】
最後に、ここで述べたプロセス及び技術は本質的に如何なる特定の装置に関連することはなく、コンポーネントの如何なる相応しい組み合わせによってでも実装できることを理解する必要がある。更に、汎用目的の多様なタイプのデバイスがここで記述した教授に従って使用可能である。ここで述べた方法のステップを実行するのに、専用の装置を構築するのが有益であることが判るかもしれない。また、実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。本発明は、具体例に関連して記述したが、これらは、すべての観点に於いて限定の為ではなく説明の為である。本分野にスキルのある者には、本発明を実施するのに相応しいハードウェア、ソフトウェア、及びファームウエアの多数の組み合わせがあることが解るであろう。例えば、記述したソフトウェアは、アセンブラ、Ｃ／Ｃ＋＋、ｐｅｒｌ、Ｓｈｅｌｌ、ＰＨＰ、Ｊａｖａ（登録商標）等の広範囲のプログラム又はスクリプト言語で実装できる。
【００６０】
さらに、上述の実施形態において、制御線や情報線は説明上必要と考えられるものを示しており、製品上必ずしも全ての制御線や情報線を示しているとは限らない。全ての構成が相互に接続されていても良い。
【符号の説明】
【００６１】
１  顧客端末
２  インターネット
３  オンライン取引サーバ
３１  アプリケーションサーバ
３２  データベースサーバ
【図１】
2016151927.tif 000003
【図２】
2016151927.tif 000004
【図３】
2016151927.tif 000005
【図４】
2016151927.tif 000006
【図５】
2016151927.tif 000007
【図６】
2016151927.tif 000008
【図７】
2016151927.tif 000009
【図８】
2016151927.tif 000010
【図９】
2016151927.tif 000011